(57)【要約】【課題】映像および音声を記録・再生が可能で、かつ高品位な音声の記録・再生が可能で、かつモバイル時に電池駆動可能時間が長く、装置の故障発生が少ない映像および音声を記録・再生する情報記録再生装置を提供する。【解決手段】物理フォーマットが同一で、映像および音声を記録・再生するモードと、音声のみを記録・再生するモードをもち、映像および音声のモード時に比して、音声のみのモードでは、ディスクの回転速度を低下させ、処理クロック周波数を下げ、記録レーザーパワーを下げ、再生レーザーパワーを下げる。また、ショックプルーフのメモリの一部の電源を断つ。【選択図】　　　図１
2004071026.tif 000002
【特許請求の範囲】
【請求項１】
映像信号と同時に音声信号を記録・再生するビデオモードと音声信号のみを記録・再生する音声モードとを選択し、記録媒体に対し記録・再生を行う情報記録再生装置において、
前記記録・再生を行う記録・再生ヘッドと、前記記録媒体と前記記録・再生ヘッドとを相対的に移動させる手段と、前記選択されたモードに応じて前記移動させる手段による前記記録媒体と前記記録・再生ヘッドとの相対移動速度を切り替える手段とを備えることを特徴とする情報記録再生装置。
【請求項２】
前記切り替える手段は、前記音声モード時の前記相対移動速度を前記ビデオモード時より低下させることを特徴とする請求項１に記載の情報記録再生装置。
【請求項３】
前記記録媒体はディスク状であり、前記切り替える手段は前記音声モード時において前記ビデオモード時よりディスクの回転数を低下させることを特徴とする請求項１に記載の情報記録再生装置。
【請求項４】
更に、前記映像信号及び音声信号を所定周波数のクロックに基づいて処理する信号処理回路を備え、前記切り替える手段は前記所定周波数を前記ビデオモード時より音声モード時において低くなるように切り替えることを特徴とする請求項１に記載の情報記録再生装置。
【請求項５】
前記記録媒体は光ディスクであり、また、前記記録再生ヘッドは光学ヘッドであり、前記切り替える手段は、信号の記録時において前記光学ヘッドより前記光ディスクに照射される光ビームの強度を、前記ビデオモード時より音声モード時において低くなるように切り替えることを特徴とする請求項１に記載の情報記録再生装置。
【請求項６】
前記記録媒体は光ディスクであり、また、前記記録再生ヘッドは光学ヘッドであり、前記切り替える手段は、信号の再生時において前記光学ヘッドより前記光ディスクに照射される光ビームの強度を、前記ビデオモード時より音声モード時において低くなるように切り替えることを特徴とする請求項１に記載の情報記録再生装置。
【請求項７】
前記光ビームの位置決めをするサーボ処理回路を有し、前記切り替える手段は、前記サーボ処理回路へ供給される電源電圧を、前記ビデオモード時より音声モード時において低くなるように切り替えることを特徴とする請求項５または６に記載の情報記録再生装置。
【請求項８】
記録または再生時に記録すべき信号を一時的に蓄積するメモリを有し、前記メモリは複数のブロックに分割されると共にそれぞれのブロックに対して独立的に電源供給を制御し動作の可否を制御可能であり、前記切り替える手段は前記動作可能なメモリブロック数を前記ビデオモード時より音声モード時において少なくなるように切り替えることを特徴とする請求項１に記載の情報記録再生装置。
【発明の詳細な説明】
【０００１】
【発明の属する技術分野】
本発明は、映像および音声を記録媒体に記録・再生を行う情報記録再生装置に関し、特に定められた媒体の物理フォーマットに沿って、映像と音声を同時に記録・再生するモードと、音声のみを記録・再生するモードを持った情報記録再生装置に関する。
【０００２】
【従来の技術】
近年、音楽等の音声データを記録・再生する装置として光ディスクを用いた装置が普及している。この装置はＭＤとよばれる光磁気ディスクに磁界変調技術を用いて音声データの記録および再生を行うものである。最近では、特開平９−９７４９０号公報に開示されているように、ＭＤを用いて映像情報を記録・再生する装置が提案されている。
【０００３】
この種の装置では、装置の可搬性を高めるために、外部振動によるサーボはずれに対処すべく、いわゆる、ショックプルーフメモリを搭載している。このために単位時間に記録・再生しようとする映像・音声ディジタルデータ量に比べて、光ディスクに対して直接記録・再生する際の転送レートを高くする。そして振動によるサーボはずれが発生しても復帰に十分間に合うだけのメモリを準備する。例えば映像あるいは音声転送レートが６Ｍｂｐｓとすれば、６０Ｍｂｉｔ程度のメモリを用意すれば、１０秒間の映像および音声を記憶することができる。前述した映像および音声の再生転送速度とディスクに直接記録・再生する転送速度の差を利用して、メモリをバッファとして用い、メモリに対して映像・音声の記録・再生を行わせることで、外部振動によりサーボはずれが発生しても映像・音声の途切れがない記録・再生を可能にしている。
【０００４】
【発明が解決しようとする課題】
しかしながら、前述のように可搬性を維持しながら映像および音声を記録・再生するためにＭＤの回転数を設定すると、ディスクの風切り音や、記録の際の磁気ヘッドとディスクとの摺動音が発生し、記録時にはこれらノイズを音声と一緒に記録してしまい、再生時に記録されたノイズも音声とともに再生されてしまうという問題があった。
【０００５】
特に、映像を記録・再生しない音声のみのモードとされている場合には高音質が望まれることが多く、これら音声ノイズは大きな問題となっている。
【０００６】
また、映像を再生する場合には、多くの場合テレビが用いられ、家庭用のコンセントから電力が供給される場合が大半であるが、音声のみのモードの場合には電力の供給が電池により行なわれる屋外での再生が多い。また、音楽を鑑賞すること自体が映像鑑賞に比べると長時間に渡る場合が多く、音声のみのモードのときに電池駆動可能時間を延ばす、すなわち、低消費電力化とすることが望まれている。
【０００７】
また、前述した音声ノイズだけにとどまらず、スピンドルモータの駆動電流、あるいは、対物レンズサーボ系の駆動電流による電気的なノイズが発生し、この電気的ノイズが装置の音声処理回路に飛び込んで音声のみのモードの場合の高音質化を阻害する要因となっていた。
【０００８】
また、この種の装置に搭載されているレーザーダイオードは、高出力で使用すると低出力で使用した場合に比べて寿命が短くなる特性をもっている。このため、レーザーダイオードを高出力で使用するとその寿命による装置の故障の発生率が高くなるため、低出力で使用できるものとする改善が望まれている。
【０００９】
本発明は上述したような従来技術が有する問題点に鑑みてなされたものであって、映像および音声を記録・再生する情報記録再生装置において、音声に対するノイズを低減することを目的とする。
【００１０】
また、装置の消費電力を下げ、モバイル時の電池駆動可能時間を延ばすことを他の目的とする。
【００１１】
また、装置の寿命を延ばすことを他の目的とする。
【００１２】
そして、映像および音声を記録・再生が可能で、かつ高品位な音声の記録・再生が可能で、かつモバイル時に電池駆動可能時間が長く、装置の故障発生が少ない映像および音声を記録・再生する情報記録再生装置を提供することを他の目的とする。
【００１３】
【課題を解決するための手段】
上記目的を達成するため、本出願に係る第１の発明は映像信号と同時に音声信号を記録・再生するビデオモードと音声信号のみを記録・再生する音声モードとを選択し、記録媒体に対し記録・再生を行う情報記録再生装置において、記録・再生を行う記録・再生ヘッドと、記録媒体と記録・再生ヘッドとを相対的に移動させる手段と、選択されたモードに応じて移動させる手段による記録媒体と記録・再生ヘッドとの相対移動速度を切り替える手段とを備える。
【００１４】
上記構成において、ビデオモードと音声モードにおいて、記録媒体と記録・再生ヘッドとの相対速度を切り替えることで、音声モードでの音質の向上と消費電力の低減、装置の長寿命化を実現できる。
【００１５】
上記目的を達成するため、本出願に係る第２の発明は音声モード時の相対移動速度をビデオモード時より低下させる。
【００１６】
上記構成において、音声モードでの音質の向上と消費電力の低減、装置の長寿命化を実現できる。
【００１７】
上記目的を達成するため、本出願に係る第３の発明は記録媒体はディスク状であり、切り替える手段は音声モード時においてビデオモード時より回転数を低下させる。
【００１８】
上記構成において、ディスクを用いた装置において、音声モードでの音質の向上と消費電力の低減、装置の長寿命化を実現できる。
【００１９】
上記目的を達成するため、本出願に係る第４の発明は映像信号及び音声信号を所定周波数のクロックに基づいて処理する信号処理回路を備え、切り替える手段は所定周波数をビデオモード時より音声モード時において低くなるように切り替える。
【００２０】
上記構成において、音声モードでの消費電力の低減を実現できる。
【００２１】
上記目的を達成するため、本出願に係る第５の発明は記録媒体は光ディスクであり、また、記録・再生ヘッドは光学ヘッドであり、切り替える手段は、信号の記録時において光学ヘッドより光ディスクに照射される光ビームの強度を、ビデオモード時より音声モード時において低くなるように切り替える。
【００２２】
上記構成において、ディスクを用いた装置において、音声モード記録時の消費電力の低減、装置の長寿命化を実現できる。
【００２３】
上記目的を達成するため、本出願に係る第６の発明は記録媒体は光ディスクであり、また、記録・再生ヘッドは光学ヘッドであり、切り替える手段は、信号の再生時において光学ヘッドより光ディスクに照射される光ビームの強度を、ビデオモードより音声モードにおいて低くなるように切り替える。
【００２４】
上記構成において、ディスクを用いた装置において、音声モード再生時の消費電力の低減、装置の長寿命化を実現できる。
【００２５】
上記目的を達成するため、本出願に係る第７の発明は光ビームの位置決めをするサーボ処理回路を有し、切り替える手段は、サーボ処理回路へ供給される電源電圧を、ビデオモード時より音声モード時において低くなるように切り替える。
【００２６】
上記構成において、音声モードでの消費電力の低減を実現できる。
【００２７】
上記目的を達成するために、本出願に係る第７の発明は記録或いは再生時に記録すべき信号を一時的に蓄積するメモリを有し、メモリは複数のブロックに分割されると共にそれぞれのブロックに対して独立的に電源供給を制御し動作の可否を制御可能であり、切り替える手段は動作可能なメモリブロック数をビデオモード時より音声モード時において少なくなるように切り替える。
【００２８】
上記構成において、音声モードでの消費電力の低減を実現できる。
【００２９】
【発明の実施の形態】
次に、本発明の実施の形態について図面を参照して説明する。
【００３０】
（第１の実施の形態）
図１は本発明の第１の実施の形態の構成を示すブロック図である。
【００３１】
本実施の形態は、光ディスク１、スピンドルモータ２、ピックアップ３、磁気ヘッド４、サーボ処理回路５、録再信号処理回路６、ディスクコントローラ７、メモリ８、映像・音声信号処理回路９、高品位音声信号処理回路１０、撮像部１１、映像表示部１２、切替器３、スピーカ１４およびマイク１５から構成されている。
【００３２】
スピンドルモータ２は光ディスク１を回転させる。
【００３３】
ピックアップ３は光ディスク１に対しレーザー光線を出射し、光ディスク１上にデジタルデータを記録あるいは再生する。
【００３４】
磁気ヘッド４は光ディスク１上にデジタルデータを記録するために磁界を発生する。
【００３５】
サーボ処理回路５はスピンドルモータ２あるいはピックアップ３内にある対物レンズを駆動する。
【００３６】
録再信号処理回路６はピックアップ３から再生される信号を処理し、デジタルデータとしてディスクコントローラ７に出力するとともに、ディスクコントローラ７からのデジタルデータを処理してピックアップ３および磁気ヘッド４を制御することにより光ディスク１にデジタルデータを記録する。
【００３７】
ディスクコントローラ７はユーザーインターフェース（ＩＦ）１６からの指令に基づいてサーボ処理回路５および録再信号処理回路６を制御し、光ディスク１から再生されたデジタルデータをメモリ８に格納して映像・音声信号処理回路９あるいは高品位音声信号処理回路１０にデジタルデータを出力し、また、映像・音声信号処理回路９あるいは高品位音声信号処理回路１０からのデジタルデータをメモリ８に格納し、サーボ処理回路５および録再信号処理回路６を制御して光ディスク１にデジタルデータを記録する。
【００３８】
メモリ８はディスクコントローラの指令により映像および音声データを記憶する。また、メモリ８は複数の部分に分割され、必要に応じて各部の能動、非能動をディスクコントローラ７により制御可能な構成とされている。
【００３９】
映像・音声信号処理部９は、撮像部１１、マイク１５からの映像信号、音声信号をデータ圧縮し、ディスクコントローラ７に出力し、あるいはディスクコントローラ７からのデータを伸長し、映像表示１２、スピーカ１４に出力する。
【００４０】
高品位音声信号処理部１０は、マイク１５からの音声信号をディスクコントローラ７に出力、あるいはディスクコントローラ７からのデータをスピーカ１４に出力する。また、高品位音声信号処理回路１０では、音質を損なわない高品位なデータ圧縮も行う。
【００４１】
撮像部１１は映像撮影時に映像データを映像・音声信号処理回路９に出力する。
【００４２】
映像表示部１２は、例えば液晶画像表示装置やテレビであり、ビデオ出力による表示を行う。
【００４３】
切り替え器１３は映像・音声信号処理回路９からの音声出力と高品位音声信号処理回路１０からの音声出力をミキシングあるいは切り替える。
【００４４】
スピーカ１４は音声出力を行うスピーカあるいは音声出力端子である。マイク１５は音声を採取するためのマイクであり映像・音声信号処理回路９と高品位音声信号処理回路１０へ音声信号を出力する。
【００４５】
図２に本発明を実施した光ディスクの概略図を示す。
【００４６】
光ディスク１にはスパイラル状に情報トラックが形成され、そのトラックは例えば６０μｍ程度の周期で蛇行している。この蛇行はウォブルグルーブと呼ばれ、ピックアップ３から出射される光スポットとディスクとの走査速度にあたる線速度を２．４ｍ／ｓとする場合に、このウォブルグルーブの周波数を４０ＫＨｚになるようにスピンドルモータ２を制御する。このウォブルグルーブの蛇行を検出するには反射光を受光するセンサーをトラック横断方向に２分割するプッシュプル法等で検出することができる。
【００４７】
このような案内溝形状をもつ光ディスク基板に磁性膜をつけ情報の記録・再生を可能にしている。この磁性膜にはデータ密度的に０．０８μｍ／ｂｉｔで記録マークが形成される。この記録マークは例えばＲＬＬ（１，７）で変調されたものであり、線速度２．４ｍ／ｓにおいてはディスクでの転送速度は３０Ｍｂｐｓとなる。
【００４８】
図３に本発明を実施したフォーマットを用いたデータ構造を示す。
【００４９】
図３はエラー訂正（ＥＣＣ）の単位であるＥＣＣブロックが連続している様子を示す。一つのＥＣＣブロックはユーザーデータ６４ＫＢからなり、エラー訂正のためのパリティを１６ＫＢもつ。つまりＥＣＣブロックの合計データは８０ＫＢとなる。光ディスク１の各トラックにはこれらのＥＣＣブロックが連続で記録される。ＥＣＣパリティの冗長度のため線速度２．４ｍ／ｓの場合、ディスクへの転送レートトータル３０Ｍｂｐｓであるので、ユーザーデータの転送速度としては２４Ｍｂｐｓとなる。
【００５０】
次に、この物理フォーマットにユーザーデータとして記録されるアプリケーションフォーマットについて説明する。
【００５１】
図４は映像と音声を記録するための映像・音声用アプリケーションフォーマットを示す。
【００５２】
映像と音声の記録単位として例えば１秒間に相当するデータをＡＶブロックとする。撮影された映像情報はＭＰＥＧ２で圧縮され、収音された音声はＭＰＥＧ１オーディオで圧縮され、圧縮データがＡＶブロックに格納される。ＡＶブロック一つには一つのＶブロックと一つのＡブロックをもつ、Ｖブロックは映像の圧縮データブロックで映像の転送レートが６Ｍｂｐｓの場合６Ｍｂｉｔのデータ量となる。Ａブロックは音声の圧縮データブロックで音声の転送レートが１２８Ｋｂｐｓの場合１２８Ｋｂｉｔのデータ量となる。よってＡＶブロックは６．１２８Ｍｂｉｔのデータ量である。ＶブロックのデータにはＭＰＥＧのパラメータを含む制御用データと圧縮された映像データを含む。同様にＡブロックのデータには圧縮パラメータを含む制御用データと圧縮された音声データを含む。
【００５３】
図４で示される映像と音声がミックスされたデータ列をユーザーデータとして、図３で示される物理フォーマットに沿ってディスクにデータを記録する。図３で示されるＥＣＣブロック１単位中のユーザーデータ量は６４ＫＢであるので５００Ｋｂｉｔ程度のデータ量である。よって図４に示した映像・音声用アプリケーションフォーマットのＡＶブロック６Ｍｂｉｔのデータ量はＥＣＣブロック１０個程度のデータ量となっている。つまり映像・音声用アプリケーションフォーマットのＡＶブロックは物理フォーマット上のＥＣＣブロック６４ＫＢ単位に切り出され、ＥＣＣパリティが付加され光ディスク１上に記録される。アプリケーションフォーマットのＡＶブロックと物理フォーマットのＥＣＣブロックは整数比ではないので、連続したＡＶブロックを繋げた状態でＥＣＣブロックの６４ＫＢ単位で切り出される。
【００５４】
図５に高品位な音声を記録・再生するための高品位音声用アプリケーションフォーマットを示す。
【００５５】
高品位音声の記録単位として例えば１秒間に相当する音声データをＬＲブロックとする。収音された音声は高品位用の音質劣化のないデータ圧縮を行いＬＲブロックに格納される。ＬＲブロック一つは、一つのＬブロックと一つのＲブロックをもつ。Ｌブロックはステレオ音声の左チャンネルのデータブロックで、ステレオ片チャンネルの転送レートが２５６Ｋｂｐｓの場合、２５６Ｋｂｉｔのデータ量となる。Ｒブロックはステレオ音声の右チャンネルのデータブロックで、ステレオ片チャンネルの転送レートが２５６Ｋｂｐｓの場合、２５６Ｋｂｉｔのデータ量となる。よってＬＲブロックは５１２Ｋｂｉｔのデータ量である。
【００５６】
図５で示される高品位音声データ列をユーザーデータとして、図３で示される物理フォーマットに沿ってディスクにデータを記録する。図３で示されるＥＣＣブロック１単位中のユーザーデータ量は６４ＫＢであるので５００Ｋｂｉｔ程度のデータ量である。よって図５に示した映像と音声用アプリケーションフォーマットのＡＶブロック５１２Ｋｂｉｔのデータ量はＥＣＣブロック１個程度のデータ量となっている。高品位音声用アプリケーションフォーマットのＬＲブロックは物理フォーマット上のＥＣＣブロック６４ＫＢ単位に切り出され、ＥＣＣパリティが付加され光ディスク１上に記録される。高品位音声用アプリケーションフォーマットのＬＲブロックと物理フォーマットのＥＣＣブロックは整数比とは限らないので、連続したＬＲブロックを繋げた状態でＥＣＣブロックの６４ＫＢ単位で切り出される。
【００５７】
図６にサーボ処理回路５の詳細ブロック図を示す。記録ＬＤ制御回路５１は、ディスクコントローラからの設定記録パワーに従い、ピックアップ３内のレーザーパワーモニタセンサの出力を参照しピックアップ３内のレーザーダイオードの記録パワーを制御する。再生ＬＤ制御回路５２は、ディスクコントローラからの設定再生パワーに従い、ピックアップ３内のレーザーパワーモニタセンサの出力を参照しピックアップ３内のレーザーダイオードの再生パワーを制御する。フォーカストラッキング制御回路５３は、ピックアップ３内のフォーカス、トラッキング各サーボセンサの出力を参照し、ピックアップ３の照射する光スポットのフォーカシング、トラッキングを行う。フォーカストラッキング制御回路５３ではサーボセンサの出力からプッシュプル信号を生成しウォブルグルーブの周波数の検出、ならびにウォブルグルーブに変調されているアドレス情報を読み取る。ウォブル周波数はスピンドル制御回路５４に出力される。アドレス情報はディスクコントローラ７に出力される。
【００５８】
スピンドル制御回路５４は、フォーカストラッキング制御回路５３からのウォブル周波数を参照し、ディスクコントローラ７からの設定線速度で回転するようにスピンドルモータを制御する。ピックアップ位置制御回路５５は、光ディスク１の径方向にピックアップを移動させるモータの制御を行う。サーボ系電源５６は、ディスクコントローラ７の指令によりサーボ系の各回路に供給する電源電圧をＤＣ／ＤＣコンバータにより変化させる。
【００５９】
図７に録再信号処理回路６の詳細ブロック図を示す。
【００６０】
１，７変調器６１は、ディスクコントローラ７からの記録データをＲＬＬ（１，７）変調し、光ディスク１に記録すべく磁気ヘッド４を駆動する。等化フィルタ６２は、ピックアップ３からの再生信号が入力され、再生信号品位が向上するような特性の等化フィルタ処理を施し、等化信号として出力する。等化フィルタ６２はディスクコントローラ７の指令により等化特性を変えることができる。データセパレータ６３は、等化フィルタにより等化された信号を２値化するためのデータセパレータでパーシャルレスポンス処理、ビタビ復号等を行いデータ２値化を行う。１，７復調器６４の出力は、ディスクコントローラ７に接続される。位相誤差検出器６５は、等化フィルタにより等化された等化信号とＶＣＯ６７の出力であるところの処理クロックとの位相誤差を検出し、切り替え器６６、ＶＣＯ６７と共にＰＬＬを構成する。水晶発振器６８は、基準となる周波数クロック、例えば４５ＭＨｚを出力する。速度誤差検出器６９は、ＶＣＯ６７と出力であるところの処理クロックと水晶発振器６８の出力を参照に、切り替え機６６、ＶＣＯ６７でループを構成し、ＶＣＯ６７を適切な周波数で発振させるものである。
【００６１】
映像と音声の記録・再生
図１を用いて、映像と音声を記録する方法を説明する。
【００６２】
この装置の使用者はユーザーＩＦ１６により、映像と音声（ビデオ）記録モードを設定する。この操作により撮像部１１、映像表示部１２およびマイク１５が能動化される。この操作以前には撮像部１１、映像表示部１２、マイク１５は利用されないため、電源を供給する必要はない。ディスクコントローラ７は映像・音声記録モードに移行し、録再信号処理回路６、およびサーボ処理回路５に映像・音声記録モード時の設定を行う。録再信号処理回路５に対しては、記録時の記録レートの設定が行われ、ディスクへの記録転送レートを３０Ｍｂｐｓ、ＲＬＬ（１，７）により変調をするために処理クロックを４５ＭＨｚに設定する。
【００６３】
図７において速度誤差検出回路６９は４５ＭＨｚに設定され、水晶発振器６８の出力とＶＣＯ６７の出力である処理クロックを比較し、一方切り替え器６６は速度誤差検出回路６９の出力をＶＣＯ６７に接続し、ＶＣＯ６７が４５ＭＨｚで発振するように制御される。こうすることで、録再信号処理回路６の処理クロックは４５ＭＨｚとされ、１，７変調器６１も４５ＭＨｚで動作する。一方、ディスクコントローラ７はサーボ処理回路５に対しスピンドル回転数設定、サーボ系電源電圧設定、記録レーザーパワー設定を行う。図６においてスピンドル制御回路５４は線速度が２．４ｍ／ｓになるようなスピンドル回転数に設定され、例えばウォブル周波数が４０ＫＨｚとなるようなスピンドル制御の設定がされる。サーボ系電源５６はサーボ系電源電圧が３．３Ｖとなるように設定される。また、記録ＬＤ制御回路５１はレーザーダイオードの記録パワーが８ｍＷと設定される。
【００６４】
また、ディスクコントローラ７はメモリ８の複数に分割されたブロックのすべてを能動状態にし、メモリ８のもつすべての記憶素子を有効にする。
【００６５】
使用者がユーザーＩＦ１６により撮影開始の指示を行うと、撮像部１１ではカメラのＣＣＤ等からの映像信号を映像・音声信号処理回路９に出力する。と同時に撮影モニタ用の液晶モニタ等の映像表示部１２に映像を表示する。映像・音声信号処理回路９では撮像部１１から入力された映像信号をＭＰＥＧ２規定に沿ったデータ圧縮を施す。このときの圧縮後のデータ転送レートは６Ｍｂｐｓとする。一方、マイク１５で集音された音声は映像・音声信号処理回路９に音声信号として出力され、映像・音声信号処理回路９ではマイク１５から入力された音声信号をＭＰＥＧオーディオ規定の沿ったデータ圧縮を施す。このときの圧縮後のデータ転送レートは１２８Ｋｂｐｓとする。
【００６６】
映像・音声信号処理回路９では、図４で示した映像・音声用アプリケーションフォーマットに沿った形で映像音声データストリームを生成し、ディスクコントローラ７に映像音声データストリームを出力する。ディスクコントローラ７では入力された映像音声データストリームを図３に示す物理フォーマットに沿った形で記録データストリームを生成し、メモリ８に格納する。前述したように映像音声データストリームは６４ＫＢづつに区切られ、ＥＣＣパリティが付加されメモリ８に格納される。
【００６７】
ディスクコントローラ７はサーボ処理回路５に対して光ディスク１の適切な位置からデータを記録できるように、ピックアップ３および光スポットを光ディスク１上の記録開始位置に移動すべく指示を出す。フォーカストラッキング制御回路５３でウォブル信号から再生されたアドレスはディスクコントローラ７に伝達され、ディスクコントローラ７では、記録を開始する適切なディスク位置すなわち目的アドレスとの差を計算し、サーボ処理回路５内のピックアップ位置制御回路５５、ならびにフォーカストラッキング制御回路５４に指令を与え、光スポットが目的アドレスに移動するように制御する。光スポットが目的アドレスに到達すると、メモリ８に格納されている記録データストリームを光ディスク１へ記録開始する。ディスクコントローラ７の記録開始指示に従いサーボ処理回路５ではピックアップ３内のレーザーダイオードを記録パワーにする。一方、録再信号処理回路６の１，７変調器６１にディスクコントローラ７から記録データストリームが入力され、１，７変調器６１により変調されたデータが磁気ヘッド４を駆動し、光ディスク１上に記録マークを形成する。
【００６８】
映像・音声用アプリケーションフォーマットのトータル転送レートは６．１２８Ｍｂｐｓで物理フォーマットの記録密度による転送レートは２４Ｍｂｐｓと４倍ほどの差があるため、メモリ８にバッファされた記録データストリームは減少する。メモリ８にバッファされた記録データストリーム量を勘案しながら、光ディスク１に間欠的に記録を行う。
【００６９】
例えば、６１．２８Ｍｂｉｔ以上のメモリ８すなわち１０秒分以上のデータをバッファできる容量以上を持っている場合。１０秒分の記録データストリームつまり６１．２８Ｍｂｉｔがメモリ８にたまった時点で、光ディスク１に記録を開始し、光ディスク１の記録は２．５秒程度で終了するので、残りの７．５秒は記録系はもちろんスピンドル、あるいはサーボ系を停止させる。
【００７０】
このようにしてカメラ・マイク１５で収集された映像・音声データを映像・音声用アプリケーションフォーマットに沿って光ディスク１に記録することができる。
【００７１】
次に、光ディスク１に記録された映像・音声データを再生する方法について説明する。
【００７２】
この装置の使用者はユーザーＩＦ１６により、映像と音声（ビデオ）再生モードを設定する。この操作により映像表示部が能動化される。この操作以前には映像表示部は利用されないため、電源を供給する必要はない。また、切り替え器１３は映像音声信号処理回路９の出力をスピーカ１４に接続する。ディスクコントローラ７は映像・音声再生モードに移行し、録再信号処理回路６、およびサーボ処理回路５に映像・音声再生モード時の設定を行う。録再信号処理回路５に対しては、再生時の転送レートの設定が行われ、光ディスク１からの再生転送レートを３０Ｍｂｐｓ、ＲＬＬ（１，７）により復調をするために処理クロックを４５ＭＨｚに設定する。
【００７３】
図７においてピックアップ３から再生された信号は等化フィルタ６２で等化され位相誤差検出器６５で再生信号とＶＣＯ６７の出力クロックとの位相誤差が検出される。再生モードの場合、切り替え器６６は位相誤差検出器６５の出力をＶＣＯ６７に接続し、ＰＬＬを構成、ＶＣＯ６７が再生信号と同期した４５ＭＨｚで発振するように制御される。こうすることで、録再信号処理回路６の処理クロックは再生データと同期した４５ＭＨｚとされ、１，７復調器６４も再生データと同期した４５ＭＨｚで動作する。また、等化フィルタ６２は帯域を設定され例えば２２．５ＭＨｚのカットオフをもち、適切な等化特性に設定される。
【００７４】
一方、ディスクコントローラ７はサーボ処理回路５に対しスピンドル回転数設定、サーボ系電源電圧設定、再生レーザーパワー設定を行う。図６においてスピンドル制御回路５４は線速度が２．４ｍ／ｓになるようにスピンドル回転数が設定され、例えばウォブル周波数が４０ＫＨｚとなるようなスピンドル制御の設定がされる。サーボ系電源５６はサーボ系電源電圧が３．３Ｖとなるように設定される。また、再生ＬＤ制御回路５２はレーザーダイオードの再生パワーが２．４ｍＷと設定される。
【００７５】
また、ディスクコントローラ７はメモリ８の複数に分割されたブロックのすべてを能動状態にし、メモリ８のもつすべての記憶素子を有効にする。
【００７６】
使用者がユーザーＩＦ１６により再生開始の指示を行うと、ディスクコントローラ７はサーボ処理回路５に対して光ディスク１の適切な位置からデータを再生できるように、ピックアップ３および光スポットを光ディスク１上の再生開始位置に移動すべく指示を出す。フォーカストラッキング制御回路５３でウォブル信号から再生されたアドレスはディスクコントローラ７に伝達され、ディスクコントローラ７では、再生を開始する適切なディスク位置すなわち目的アドレスとの差を計算し、サーボ処理回路５内のピックアップ位置制御回路５５、ならびにフォーカストラッキング制御回路５４に指令を与え、光スポットが目的アドレスに移動するように制御する。光スポットが目的アドレスに到達すると、ピックアップ３から再生されたデータは等化フィルタ６２で等化され前述のように再生データにＰＬＬがかかり再生データに同期した４５ＭＨｚのクロックが生成される。等化フィルタ６２の出力信号はデータセパレータ６３にも入力されＰＲＭＬ等を利用して再生データを２値化する。データセパレータ６３で２値化されたデータは１，７復調器６４で１，７復調されディスクコントローラ７に出力される。１，７復調されたデータはディスクコントローラ７によりメモリ８に格納される。メモリ８に格納されたデータはディスクコントローラ７によりＥＣＣデコードすることでエラー訂正がなされ、映像音声信号処理回路９に映像音声データストリームとして出力される。映像音声信号処理回路９では映像データに関してはＭＰＥＧ２デコード、音声データにかんしてはＭＰＥＧオーディオデコードを施し、映像信号および再生信号を生成する。
【００７７】
映像音声信号処理回路９から出力された映像信号は映像表示部１２で映像として表示される。この映像表示部１２は装置に装備されている液晶表示器である場合もあるし、ビデオ信号出力としてテレビで表示する場合もある。
【００７８】
一方、切り替え器１３は映像音声信号処理回路９の出力をスピーカ１４に接続しているので、音声信号はスピーカ１４により音声となる。スピーカ１４は装置に装備されているスピーカでもよいし、オーディオ出力として外部のテレビ、オーディオ装置等で音声にするものでもよい。
【００７９】
映像・音声用アプリケーションフォーマットのトータル転送レートは６．１２８Ｍｂｐｓで物理フォーマットの記録密度による転送レートは２４Ｍｂｐｓと４倍ほどの差があるため、ディスク１から再生されたデータは徐々にメモリ８にたまっていく。メモリ８にバッファされた再生データストリーム量を勘案しながら、光ディスク１からの再生を間欠的に行う。
【００８０】
例えば、６１．２８Ｍｂｉｔ以上のメモリ８すなわち１０秒分のデータをバッファできる容量以上を持っている場合。１０秒分の再生データストリームつまり６１．２８Ｍｂｉｔがメモリ８にたまった時点で、光ディスク１からの再生を中止する。６１．２８Ｍｂｉｔの光ディスク１からの再生時間は２．５秒程度なので、残りの７．５秒のあいだ再生系はもちろんスピンドル、あるいはサーボ系を停止させる。ディスクコントローラ７はメモリ８にたまったデータを６．１２８Ｍｂｐｓで読み出して表示・音声再生をつづけ、メモリ８のデータ残量が少なくなった時点で、再び光ディスク１からデータを再生し、メモリ８にデータを蓄積する。
【００８１】
このようにして光ディスク１から映像・音声データを再生し、表示装置、スピーカ１４等から映像・音声を再生することができる。
【００８２】
高品位音声の録音、再生
図１を用いて、高品位音声を記録する方法を説明する。
【００８３】
この装置の使用者はユーザーＩＦ１６により、高品位音声記録モードを設定する。この操作によりマイク１５が能動化される。この操作以前にはマイク１５は利用されないため、電源を供給する必要はない。もちろん撮像部１１、映像表示部１２に電源を供給する必要はない。ディスクコントローラ７は高品位音声記録モードに移行し、録再信号処理回路６、およびサーボ処理回路５に高品位音声記録モード時の設定を行う。録再信号処理回路５に対しては、記録時の記録レートの設定が行われ、光ディスク１への記録転送レートを１５Ｍｂｐｓ、ＲＬＬ（１，７）により変調をするために処理クロックを２２．５ＭＨｚに設定する。
【００８４】
図７において速度誤差検出器６９は２２．５ＭＨｚに設定され、水晶発振器６８の出力とＶＣＯ６７の出力である処理クロックを比較し、一方切り替え器６６は速度誤差検出器６９の出力をＶＣＯ６７に接続し、ＶＣＯ６７が２２．５ＭＨｚで発振するように制御される。水晶発振器６８の出力４５ＭＨｚを２分周しＶＣＯ６７と周波数比較し、速度誤差を検出しフィードバックをかけてＶＣＯを２２．５ＭＨｚで発振させる。こうすることで、録再信号処理回路６の処理クロックは２２．５ＭＨｚとされ、１，７変調器６１も２２．５ＭＨｚで動作する。
【００８５】
一方、ディスクコントローラ７はサーボ処理回路５に対しスピンドル回転数設定、サーボ系電源電圧設定、記録レーザーパワー設定を行う。図６においてスピンドル制御回路５４は線速度が１．２ｍ／ｓになるようにスピンドル回転数を設定され、たとえばウォブル周波数が２０ＫＨｚとなるようなスピンドル制御の設定がされる。サーボ系電源５６はサーボ系電源電圧が２．５Ｖとなるように設定される。また、記録ＬＤ制御回路５１はレーザーダイオードの記録パワーが４ｍＷと設定される。
【００８６】
また、ディスクコントローラ７はメモリ８の複数に分割されたブロックの一部、例えば５０％を能動状態にし、メモリ８のもつ５０％の記憶素子を有効にし、不使用の部分には電源を供給しない。
【００８７】
使用者がユーザーＩＦ１６により録音開始の指示を行うと、マイク１５で集音された音声は高品位音声信号処理回路１０に音声信号として出力され、高品位音声信号処理回路１０ではマイク１５から入力された音声信号を音質劣化のない高品位なデータ圧縮を施す。このときの圧縮後のデータ転送レートは５１２Ｋｂｐｓとする。
【００８８】
高品位音声信号処理回路１０では図５で示した高品位音声用アプリケーションフォーマットに沿った形で高品位音声データストリームを生成し、ディスクコントローラ７に高品位音声データストリームを出力する。ディスクコントローラ７では入力された高品位音声データストリームを図３に示す物理フォーマットに沿った形で記録データストリームを生成し、メモリ８に格納する。前述したように高品位音声データストリームは６４ＫＢづつに区切られ、ＥＣＣパリティが付加されメモリ８に格納される。
【００８９】
ディスクコントローラ７はサーボ処理回路５に対して光ディスク１の適切な位置からデータを記録できるように、ピックアップ３および光スポットを光ディスク１上の記録開始位置に移動すべく指示を出す。フォーカストラッキング制御回路５３でウォブル信号から再生されたアドレスはディスクコントローラ７に伝達され、ディスクコントローラ７では、記録を開始する適切な光ディスク位置すなわち目的アドレスとの差を計算し、サーボ処理回路５内のピックアップ位置制御回路５５、ならびにフォーカストラッキング制御回路５４に指令を与え、光スポットが目的アドレスに移動するように制御する。光スポットが目的アドレスに到達すると、メモリ８に格納されている記録データストリームを光ディスク１へ記録開始する。ディスクコントローラ７の記録開始指示に従いサーボ処理回路５ではピックアップ３内のレーザーダイオードを記録パワーにする。一方、録再信号処理回路６の１，７変調器６１にディスクコントローラ７から記録データストリームが入力され、１，７変調器６１により変調されたデータが磁気ヘッド４を駆動し、光ディスク１上に記録マークを形成する。
【００９０】
高品位音声用アプリケーションフォーマットのトータル転送レートは５１２Ｋｂｐｓで物理フォーマットの記録密度による転送レートは１２Ｍｂｐｓと２４倍ほどの差があるため、メモリ８にバッファされた記録データストリームは減少する。メモリ８にバッファされた記録データストリーム量を勘案しながら、光ディスク１に間欠的に記録を行う。
【００９１】
例えば、メモリ８が６１．２８Ｍｂｉｔ以上のデータをバッファできる容量以上を持っている場合、前述の高品位音声モードによりメモリの半分である３０Ｍｂｉｔ程度以上のメモリが有効になっている。これは高品位音声転送レート５１２Ｋｂｐｓで６０秒分以上のメモリ容量をもっていることになる。記録データストリームの３０Ｍｂｉｔがメモリ８にたまった時点で、光ディスク１に記録を開始し、光ディスク１への記録時間は２．５秒程度なので、残りの５７．５秒のあいだ記録系はもちろんスピンドル、あるいはサーボ系を停止させる。
【００９２】
このようにしてマイク１５で収集された高品位音声データを高品位音声用アプリケーションフォーマットに沿って光ディスク１に記録することができる。
【００９３】
次に、光ディスク１に記録された高品位音声データを再生する方法について説明する。
【００９４】
この装置の使用者はユーザーＩＦ１６により、高品位音声再生モードを設定する。切り替え器１３は高品位音声信号処理回路１０の出力をスピーカ１４に接続する。ディスクコントローラ７は高品位音声再生モードに移行し、録再信号処理回路６、およびサーボ処理回路５に高品位音声再生モード時の設定を行う。録再信号処理回路５に対しては、再生時の転送レートの設定が行われ、光ディスク１からの再生転送レートを１５Ｍｂｐｓ、ＲＬＬ（１，７）により復調をするために処理クロックを２２．５ＭＨｚに設定する。
【００９５】
図７においてピックアップ３から再生された信号は等化フィルタ６２で等化され位相誤差検出器６５で再生信号とＶＣＯ６７の出力クロックとの位相誤差が検出される。再生モードの場合、切り替え器６６は位相誤差検出器６５の出力をＶＣＯ６７に接続し、ＰＬＬを構成、ＶＣＯ６７が再生信号と同期した２２．５ＭＨｚで発振するように制御される。こうすることで、録再信号処理回路６の処理クロックは再生データと同期した２２．５ＭＨｚとされ、１，７復調器６４も再生データと同期した２２．５ＭＨｚで動作する。また、等化フィルタ６２は帯域を設定され例えば１１．２５ＭＨｚのカットオフをもち、適切な等化特性に設定される。
【００９６】
一方、ディスクコントローラ７はサーボ処理回路５に対しスピンドル回転数設定、サーボ系電源電圧設定、再生レーザーパワー設定を行う。図６においてスピンドル制御回路５４は線速度が１．２ｍ／ｓになるようにスピンドル回転数を設定され、たとえばウォブル周波数が２０ＫＨｚとなるようなスピンドル制御の設定がされる。サーボ系電源５６はサーボ系電源電圧が２．５Ｖとなるように設定される。また、再生ＬＤ制御回路５２はレーザーダイオードの再生パワーが１．２ｍＷと設定される。
【００９７】
また、ディスクコントローラ７はメモリ８の複数に分割されたブロックの一部、例えば５０％を能動状態にし、メモリ８のもつ５０％の記憶素子を有効にし、不使用の部分には電源を供給しない。
【００９８】
使用者がユーザーＩＦ１６により再生開始の指示を行うと、ディスクコントローラ７はサーボ処理回路５に対して光ディスク１の適切な位置からデータを再生できるように、ピックアップ３および光スポットを光ディスク１上の再生開始位置に移動すべく指示を出す。フォーカストラッキング制御回路５３でウォブル信号から再生されたアドレスはディスクコントローラ７に伝達され、ディスクコントローラ７では、再生を開始する適切な光ディスク位置すなわち目的アドレスとの差を計算し、サーボ処理回路５内のピックアップ位置制御回路５５、ならびにフォーカストラッキング制御回路５４に指令を与え、光スポットが目的アドレスに移動するように制御する。光スポットが目的アドレスに到達すると、ピックアップ３から再生されたデータは等化フィルタ６２で等化され前述のように再生データにＰＬＬがかかり再生データに同期した２２．５ＭＨｚのクロックが生成される。等化フィルタ６２の出力信号はデータセパレータ６３にも入力されＰＲＭＬ等を利用して再生データを２値化する。データセパレータ６３で２値化されたデータは１，７復調器６４で１，７復調されディスクコントローラ７に出力される。１，７復調されたデータはディスクコントローラ７によりメモリ８に格納される。メモリ８に格納されたデータはディスクコントローラ７によりＥＣＣデコードすることでエラー訂正がなされ、高品位音声信号処理回路１０に高品位音声データストリームとして出力される。高品位音声信号処理回路１０では高品位音声データに対し音質の劣化しない高品位な圧縮に対するデコードを施し、高品位音声再生信号を生成する。
【００９９】
切り替え器１３は高品位音声信号処理回路１０の出力をスピーカ１４に接続しているので、高品位音声信号はスピーカ１４により音声となる。スピーカ１４は装置に装備されているスピーカでもよいし、オーディオ出力としてオーディオ装置等で音声にするものでもよい。
【０１００】
高品位音声用アプリケーションフォーマットのトータル転送レートは５１２Ｋｂｐｓで物理フォーマットの記録密度による転送レートは１２Ｍｂｐｓと２４倍ほどの差があるため、光ディスク１から再生されたデータは徐々にメモリ８にたまっていく。メモリ８にバッファされた再生データストリーム量を勘案しながら、光ディスク１からの再生を間欠的に行う。
【０１０１】
例えば、メモリ８が６１．２８Ｍｂｉｔ以上のデータをバッファできる容量以上を持っている場合、前述の高品位音声モードによりメモリの半分である３０Ｍｂｉｔ程度以上のメモリが有効になっている。これは高品位音声転送レート５１２Ｋｂｐｓで６０秒分以上のメモリ容量をもっていることになる。再生データストリームの３０Ｍｂｉｔがメモリ８にたまった時点で、光ディスク１からの再生を中止する。３０Ｍｂｉｔの光ディスク１からの再生時間は２．５秒程度なので、残りの５７．５秒のあいだ再生系はもちろんスピンドル、あるいはサーボ系を停止させる。
【０１０２】
ディスクコントローラ７はメモリ８にたまったデータを５１２Ｋｂｐｓで読み出して高品位音声再生をつづけ、メモリ８のデータ残量が少なくなった時点で、再び、光ディスク１からデータを再生し、メモリ８にデータを蓄積する。
【０１０３】
このようにして光ディスク１から高品位音声データを再生し、スピーカ１４等から高品位音声を再生することができる。
【０１０４】
以上説明したように、映像と音声を記録／再生するモードに比べて、高品位音声を記録／再生するモードにおいて、光ディスク１の回転数を低くし、光ディスク１からのデータ転送速度を下げることにより、映像および音声を記録／再生できる装置において、高音質な音声の記録／再生が可能になる。また、音質を重視するユーザーにとっても、音質を重視した音声専用の録音・再生機と、映像もとれるビデオレコーダとの２台を持つ必要がなくなり、本発明を用いた１台のビデオレコーダ兼音声記録・再生機で満足することができる。
【０１０５】
また、高品位音声記録モードにおいて、光ディスク１の回転数を低くすることで光ディスク１と磁気ヘッド４の摺動音、光ディスク１の風きり音等の音声ノイズの少ない高品位な録音／再生が可能となる。また、スピンドルモータ２、レンズアクチュエータ等のメカトロ制御用の駆動電流が少なくなることで、駆動電流から音声処理回路に電気的に飛び込むノイズを減らし、高品位な録音／再生が可能となる。また、光ディスク１の回転数を低くし、信号処理の処理クロックを低下させ、サーボ制御用の電源電圧を低くし、さらに、メモリの実質利用容量を減らすことで、消費電力を節約でき、電池の消耗を抑え、長時間の使用が可能となる。あるいは、電源容量の小さな電池を利用することができ、装置の小型化を図ることができる。また、光ディスク１の回転数を低くしたことで、記録および再生に必要なレーザーパワーを低くでき、消費電力の削減、あるいはレーザーの寿命を延ばすことができ、装置の長寿命化、故障率の低減を実現できる。
【０１０６】
（第２の実施の形態）
図８に本発明の第２の実施の形態の装置のブロック図を示す。
【０１０７】
本実施の形態では映像と音声の記録をすることのない、映像と音声を再生するビューワー、そして高品位音声の記録／再生の可能なオーディオレコーダーである。
【０１０８】
図８に示すように、本実施の形態では映像記録用の撮像部がない。また、映像・音声信号処理回路９内に映像圧縮用のＭＰＥＧエンコーダ、音声圧縮用のエンコーダを持たない。ビューワー用に映像および音声用のデコーダは持つ。第１の実施の形態で説明した、（映像と音声の記録・再生）の記録の部分を除いた動作を行う。映像の記録を行わないため、装置の多大なスペースを占領しているズームカメラ、光学系等の撮像系が不要なため、また、映像記録用のタイミング系の電気部品、ＣＣＤ等が不要になり装置を小型化、低消費電力化することが可能である。
【０１０９】
本発明においてビューワー機能は映画・ドラマ等が記録されている光ディスク１を購入して本発明のビューワー機能で鑑賞する。あるいは、別のカメラ付きビデオレコーダーで撮影し記録したディスク、あるいは、ＴＶ放送などを別のビデオレコーダーで録画したディスク等をビューワー機能で再生する。
【０１１０】
このように、映像と音声を再生するモードに比べて、高品位音声を記録／再生するモードにおいて、ディスクの回転数を低くし、ディスクからのデータ転送速度を下げることにより、映像および音声を再生できるビューワー装置において、高音質な音声の記録／再生が可能になる。また、音質を重視した音声専用の録音・再生機と映像のビューワー機能をもつ小型の装置となるので音楽鑑賞頻度の高いユーザーにとっても携帯性のすぐれた装置を提供できる。
【０１１１】
【発明の効果】
以上説明したように、本発明には以下の効果がある。
【０１１２】
本出願に係る第１の発明によれば、ビデオモードと音声モードに応じて、記録媒体と記録・再生ヘッドの相対移動速度を切り替えることにより、ビデオモードでは必要な転送速度が得られ、音声モードではノイズの少ない、消費電力の低い、長寿命の装置を提供することができる。
【０１１３】
また、本出願に係る第２の発明によれば、ビデオモードより音声モードのときの、記録媒体と記録・再生ヘッドの相対移動速度を低くすることにより、ビデオモードでは必要な転送速度が得られ、音声モードではノイズの少ない、消費電力の低い、長寿命の装置を提供することができる。
【０１１４】
また、本出願に係る第３の発明によれば、ディスク状の媒体を用い、ビデオモードより音声モードのときの、ディスクの回転数を低くすることにより、ビデオモードでは必要な転送速度が得られ、音声モードではノイズの少ない、消費電力の低い、長寿命の装置を提供することができる。
【０１１５】
また、本出願に係る第４の発明によれば、ビデオモード時よりも音声モード時の信号処理回路のクロック周波数を低くすることにより、ビデオモードでは必要な転送速度が得られ、音声モード消費電力の低い装置を提供することができる。
【０１１６】
また、本出願に係る第５の発明によれば、光ディスク媒体を用い、ビデオモードより音声モードのときの、記録ビーム強度を低くすることにより、ビデオ記録モードでは必要な転送速度が得られ、音声記録モードではノイズの少ない、消費電力の低い、長寿命の装置を提供することができる。
【０１１７】
また、本出願に係る第６の発明によれば、光ディスク媒体を用い、ビデオモードより音声モードのときの、再生ビーム強度を低くすることにより、ビデオ再生モードでは必要な転送速度が得られ、音声再生モードではノイズの少ない、消費電力の低い、長寿命の装置を提供することができる。
【０１１８】
また、本出願に係る第７の発明によれば、ビデオモードより音声モードのときの、サーボ処理回路へ供給する電圧を低くすることにより、ビデオモードでは必要な転送速度が得られ、音声モードではノイズの少ない、消費電力の低い装置を提供することができる。
【０１１９】
また、本出願に係る第８の発明によれば、ビデオモードより音声モードのときの、電源を供給し有効とするメモリを少なくすることにより、ビデオモードでは必要な転送速度が得られ、音声モードでは消費電力の低い装置を提供することができる。
【図面の簡単な説明】
【図１】本発明の第１の実施の形態の情報記録再生装置のブロック図である。
【図２】本発明を実施した光ディスクの模式図である。
【図３】本発明を実施した光ディスクの物理フォーマットである。
【図４】映像と音声を記録再生するアプリケーションフォーマットである。
【図５】高音質音声を記録再生するアプリケーションフォーマットである。
【図６】サーボ処理のブロック図である。
【図７】録再信号処理のブロック図である。
【図８】本発明の第２の実施の形態の情報記録再生装置のブロック図である。
【符号の説明】
１　　光ディスク
２　　スピンドルモータ
３　　ピックアップ
４　　磁気ヘッド
５　　サーボ処理回路
６　　録再信号処理回路
７　　ディスクコントローラ
８　　メモリ
９　　映像・音声信号処理部
１０　　高品位音声処理部
１１　　撮像部
１２　　映像表示部
１３　　切り替え器
１４　　スピーカ
１５　　マイク
５１　　記録ＬＤ制御回路
５２　　再生ＬＤ制御回路
５３　　フォーカストラッキング制御回路
５４　　スピンドル制御回路
５５　　ピックアップ位置制御回路
５６　　サーボ系電源
６１　　１，７変調器
６２　　等化フィルタ
６３　　データセパレータ
６４　　１，７復調器
６５　　位相誤差検出器
６６　　切り替え器
６７　　ＶＣＯ
６８　　水晶発振器
６９　　速度誤差検出器
【図１】
2004071026.tif 000003
【図２】
2004071026.tif 000004
【図３】
2004071026.tif 000005
【図４】
2004071026.tif 000006
【図５】
2004071026.tif 000007
【図６】
2004071026.tif 000008
【図７】
2004071026.tif 000009
【図８】
2004071026.tif 000010